(57)【要約】【課題】偏重心ディスク再生時の振動を抑え、騒音の小さな光ディスク装置を提供することである。【解決手段】光ディスク装置は、メインシャーシと、該メインシャーシに組み付けられたトラバースシャーシと、該トラバースシャーシの嵌合ボス１０ａを嵌めるカム溝２０ｂを有し、カム溝２０ｂに沿って嵌合ボス１０ａを移動させることにより前記トラバースシャーシを昇降させるカムスライダ２０とを備え、カムスライダ２０に、再生位置にある前記トラバースシャーシの嵌合ボス１０ａの下面を支持するＬ字型で樹脂製の板バネ２０ｅを一体成型する構成とする。【選択図】図２
2007226923.tif 000002
【特許請求の範囲】
【請求項１】
メインシャーシと、該メインシャーシに組み付けられたトラバースシャーシと、該トラバースシャーシの嵌合ボスを嵌めるカム溝を有し、該カム溝に沿って前記嵌合ボスを移動させることにより前記トラバースシャーシを昇降させるカムスライダとを備えた光ディスク装置において、
前記カムスライダに、再生位置にある前記トラバースシャーシの嵌合ボスの下面を支持するＬ字型で樹脂製の板バネを一体成型することを特徴とする光ディスク装置。
【請求項２】
メインシャーシと、該メインシャーシに組み付けられたトラバースシャーシと、該トラバースシャーシの嵌合ボスを嵌めるカム溝を有し、該カム溝に沿って前記嵌合ボスを移動させることにより前記トラバースシャーシを昇降させるカムスライダとを備えた光ディスク装置において、
前記カムスライダに、再生位置にある前記トラバースシャーシの嵌合ボスを支持する板バネを設けることを特徴とする光ディスク装置。
【請求項３】
前記板バネはカムスライダに一体成型することを特徴とする請求項２記載の光ディスク装置。
【請求項４】
前記板バネは前記嵌合ボスの下面を支持するように設けることを特徴とする請求項２又は３記載の光ディスク装置。
【発明の詳細な説明】
【技術分野】
【０００１】
本発明は、ＤＶＤ、ＣＤ等の光ディスクを再生、記録する光ディスク装置に関するものである。
【背景技術】
【０００２】
ＤＶＤ、ＣＤ等の光ディスクを再生、記録する光ディスク装置には種々の形態がある。例えば、ディスクトレイを有する形態やディスクトレイを持たないスロットインの形態などがある。そして、ディスクトレイを有する形態においては、ディスクトレイ上に載置された光ディスクがディスクトレイの駆動により装置内に収容され、トラバースシャーシの駆動によりチャッキングされて再生位置に移動させられる。
【０００３】
上記の動作のうち、通常、ディスクトレイの駆動とトラバースシャーシの駆動とは１つのモータで行われる。そのため、トラバースシャーシの駆動にはカムスライダが用いられる。カムスライダにはトラバースシャーシの嵌合ボスを嵌めるカム溝が形成されており、カム溝に沿って嵌合ボスが移動することによりトラバースシャーシが昇降する。またスロットインの形態でも、同様にカムスライダやトラバースシャーシが用いられる。
【０００４】
このトラバースシャーシの昇降時にはトラバースシャーシとトラバースシャーシが組み付けられたメインシャーシとの接触による騒音が発生する。そこで、特許文献１には、板バネを設けてトラバースの昇降時の衝撃を緩和するディスク装置が開示されている。
【特許文献１】特開２００２−２８８９１４号公報
【発明の開示】
【発明が解決しようとする課題】
【０００５】
ところで、光ディスクは大量生産されているため、各光ディスクの品質には誤差があり、光ディスクの中心に対して重心が偏ったディスクも存在する。この偏重心ディスクを再生しようとすると、回転がぶれるため装置へ伝わる振動が大きくなる。そして、その振動を原因とする騒音が生じ、ユーザに不快感を与える。
【０００６】
この騒音、つまり振動はトラバースシャーシとそれを組み付けるメインシャーシとの接触によって生じるので、従来はトラバースシャーシとメインシャーシとの間にダンパーを設けるなどして振動を吸収していた。しかし、ダンパーを設けるとコストアップになるため、ダンパーレス設計にて対応することが望まれる。ダンパーレス設計において偏重心ディスクの再生性能を向上させようとすると、各嵌合箇所の寸法精度を上げる必要があるが、金型の面数が多いと寸法精度を上げることは困難である。
【０００７】
ここで、特許文献１の構成によると、トラバースシャーシの昇降時の振動は解決できるが、トラバースシャーシが上がった後、偏重心ディスクを再生する際の振動については抑えることはできない。
【０００８】
本発明は、偏重心ディスク再生時の振動を抑え、騒音の小さな光ディスク装置を提供することを目的とする。
【課題を解決するための手段】
【０００９】
上記目的を達成するために本発明は、メインシャーシと、該メインシャーシに組み付けられたトラバースシャーシと、該トラバースシャーシの嵌合ボスを嵌めるカム溝を有し、該カム溝に沿って前記嵌合ボスを移動させることにより前記トラバースシャーシを昇降させるカムスライダとを備えた光ディスク装置において、前記カムスライダに、再生位置にある前記トラバースシャーシの嵌合ボスを支持する板バネを設けることを特徴とする。
【００１０】
この構成によると、偏重心ディスクを再生する場合、その回転がぶれてトラバースシャーシへ振動が伝わり、その振動は板バネに伝わり、板バネの弾性力で振動は吸収される。
【００１１】
また上記の光ディスク装置において、コスト削減のため、前記板バネはカムスライダに一体成型することが望ましい。
【００１２】
また上記の光ディスク装置において、トラバースシャーシの振動を効率よく抑えるためには、板バネを前記嵌合ボスの下面を支持するように設けることが望ましい。
【００１３】
また本発明の光ディスク装置は、メインシャーシと、該メインシャーシに組み付けられたトラバースシャーシと、該トラバースシャーシの嵌合ボスを嵌めるカム溝を有し、該カム溝に沿って前記嵌合ボスを移動させることにより前記トラバースシャーシを昇降させるカムスライダとを備えた光ディスク装置において、前記カムスライダに、再生位置にある前記トラバースシャーシの嵌合ボスの下面を支持するＬ字型で樹脂製の板バネを一体成型する構成とすることにより、具体化される。
【発明の効果】
【００１４】
本発明によれば、偏重心ディスク再生時の振動をカムスライダの板バネで吸収することにより、トラバースシャーシとメインシャーシの接触による騒音を抑えることができ、騒音の小さな光ディスク装置を提供することができる。
【発明を実施するための最良の形態】
【００１５】
図１はトラバースシャーシ及びカムスライダ周辺の上面図、図２は嵌合ボスが嵌合した状態のカムスライダの背面図である。トラバースシャーシ１０は、メインシャーシ（不図示）に昇降可能に組み付けられる。トラバースシャーシ１０とメインシャーシとの間には振動を吸収するためのダンパーなどは設けられておらず、所謂ダンパーレス設計となっている。トラバースシャーシ１０には、光ディスクを載置して回転させるターンテーブル１１と、光ディスクに記録・再生する光ピックアップと、それらを駆動するためのモータ１３とが備えられている。そして、トラバースシャーシ１０はその昇降を行うカムスライダ２０と嵌合している。カムスライダ２０はメインシャーシに組み付けられている。
【００１６】
図３はトラバースシャーシ１０の上面図、図４はトラバースシャーシ１０の正面図、図５はトラバースシャーシ１０の右側面図である。トラバースシャーシ１０は金属板を成型したものである。トラバースシャーシ１０の正面側にはカムスライダ２０と嵌合する板状の嵌合ボス１０ａが突設されている。この嵌合ボス１０ａは後述するカムスライダ２０のカム溝に嵌合する。また嵌合ボス１０ａの両側端はカムスライダ２０のカム溝との滑りをよくするために、上面側に折り曲げられている。
【００１７】
図６はカムスライダ２０の上面図、図７はカムスライダ２０の正面図、図８はカムスライダ２０の右側面図、図９はカムスライダ２０の背面図、図１０は図９のＡ−Ａ線断面図である。カムスライダ２０はＰＯＭ（ポリオキシメチレン）等の樹脂を金型で一体成型したものである。カムスライダ２０の背面上部には左右方向に延びるラック２０ａが形成されている。このラック２０ａはメインシャーシに設けられたカムスライダ駆動用のピニオン（不図示）に噛合している。従ってピニオンの回転によりカムスライダ２０は左右に駆動される。
【００１８】
またカムスライダ２０には正面から背面に貫通するカム溝２０ｂが形成されている。カム溝２０ｂは略Ｓ字型であり、その上端部２０ｃに嵌合ボス１０ａが位置するとトラバースシャーシ１０が昇った状態、つまり光ディスクの再生位置となる。一方、カム溝２０ｂの下端部２０ｄに嵌合ボス２０ａが位置するとトラバースシャーシ１０が降りた状態となり、つまり光ディスクがトレイの上に載置された状態となり、光ディスクの出し入れが可能となる。
【００１９】
またカムスライダ２０の背面には再生位置にあるトラバースシャーシ１０の嵌合ボス１０ａを支持する板バネ２０ｅが設けられている。この板バネ２０ｅはＰＯＭ等の樹脂製であり、カムスライダ２０に一体成型されている。一体成型することでコストの削減となる。板バネ２０ｅはカムスライダ２０の背面から水平方向にＬ字型に突出し、その先端上面には凸部２０ｆが形成されている。そして凸部２０ｆが嵌合ボス１０ａの下面に当接する。その際、板バネ２０ｅが撓むので、その反発力により嵌合ボス１０ａが支持される。
【００２０】
なお、板バネ２０ｅは上記の形状に限定されることはなく、カム溝２０ｂの上端部２０ｃ、つまり再生位置にある嵌合ボス１０ａを支持できる形状であればよい。
【００２１】
このような構成の光ディスク装置に偏重心ディスクが挿入された場合、降下状態のトラバースシャーシ１０が再生位置まで上昇する。具体的には、カムスライダ２０がスライドすることにより嵌合ボス１０ａがカム溝２０ｂに沿って下端部２０ｄから上端部２０ｃまで移動する（図２の状態）。嵌合ボス１０ａがカム溝２０ｂの上端部２０ｃに近づくと、嵌合ボス１０ａの下面が板バネ２０ｅの凸部２０ｆに当接し、嵌合ボス１０ａが完全に上端部２０ｂまで移動した状態では嵌合ボス１０ａが板バネ２０ｅの反発力により支持される。
【００２２】
その後、再生のため偏重心ディスクが回転し始めると、その回転がぶれてトラバースシャーシ１０へ振動が伝わる。そして、トラバースシャーシ１０の振動は板バネ２０ｅに伝わり、板バネ２０ｅの弾性力でその振動は吸収される。従って、トラバースシャーシ１０の振動が抑えられる。故にトラバースシャーシ１０の振動によるメインシャーシへの接触を抑制できる。
【００２３】
このように、偏重心ディスク再生時の振動をカムスライダの板バネ２０ｅで吸収することにより、トラバースシャーシ１０とメインシャーシの接触による騒音を抑えることができ、騒音の小さな光ディスク装置を提供することができる。
【００２４】
本発明の光ディスク装置は、ＣＤやＤＶＤ等の光ディスクを再生、記録する。光ディスク装置の一例としてＤＶＤプレーヤを例にその構成を説明する。ＤＶＤプレーヤは、ＤＶＤにデジタル記録された画像データをデータ・ビット・ストリームとして読み出すディスクドライブ装置と、読み出されたデータ・ビット・ストリームから圧縮変換前の画像データと音声データとを復元して画像と音声を再生するデコーダと、ＤＶＤプレーヤ全体の動作を制御する制御部と、視聴制限の基準となる所定の周波数を格納するＥＥＰＲＯＭと、リモコンからの赤外線の明滅信号による操作指示を入力する受光回路と、ユーザがＤＶＤプレーヤに対する操作指示をＤＶＤプレーヤ側にて実施可能な操作パネルとから構成されている。付属品として上記の操作指示を入力するリモコンがある。
【００２５】
ディスクドライブ装置は、フォーカス用の磁気駆動部等に対して制御信号を送出することにより光ピックアップを所定位置に駆動させるサーボ信号処理部と、光ピックアップからの読み取り信号を増幅して所定の制御信号を生成するＲＦアンプと、増幅された信号の中から記録されているデジタルデータを復元してデータ・ビット・ストリームに変換して出力するＣＤ信号処理部とから構成されている。
【００２６】
そして、制御部による制御のもとでこれらが相互に作動し、ＤＶＤに記録されたデータ・ビット・ストリームをデコーダに出力可能となっている。デコーダはデータ・ビット・ストリームをビデオ成分とオーディオ成分とに分離するとともにＭＰＥＧ復調し、ビデオ信号と音声信号とに復元しつつそれらを同期させて出力する。
【００２７】
制御部の内部には演算処理の主体となるＣＰＵとともに、所定の制御プログラムが記録されたＲＯＭやワークエリアなどとして利用されるＲＡＭが備えられているとともに、外部機器を制御するための制御回路が備えられている。この制御部による制御のもとで上述したようにディスクドライブ装置やデコーダが画像及び音声を再生する。
【産業上の利用可能性】
【００２８】
本発明は、ＣＤやＤＶＤ等の光ディスクを再生、記録する光ディスク装置であって、トラバースシャーシとカムスライダとを備えたものに利用することができる。
【図面の簡単な説明】
【００２９】
【図１】トラバースシャーシ及びカムスライダ周辺の上面図である。
【図２】嵌合ボスが嵌合した状態のカムスライダの背面図である。
【図３】トラバースシャーシの上面図である。
【図４】トラバースシャーシの正面図である。
【図５】トラバースシャーシの右側面図である。
【図６】カムスライダの上面図である。
【図７】カムスライダの正面図である。
【図８】カムスライダの右側面図である。
【図９】カムスライダの背面図である。
【図１０】図９のＡ−Ａ線断面図である。
【符号の説明】
【００３０】
１０    トラバースシャーシ
１０ａ    嵌合ボス
２０    カムスライダ
２０ｂ    カム溝
２０ｅ    板バネ
【図１】
2007226923.tif 000003
【図２】
2007226923.tif 000004
【図３】
2007226923.tif 000005
【図４】
2007226923.tif 000006
【図５】
2007226923.tif 000007
【図６】
2007226923.tif 000008
【図７】
2007226923.tif 000009
【図８】
2007226923.tif 000010
【図９】
2007226923.tif 000011
【図１０】
2007226923.tif 000012